【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
センサが観測した情報に基づいてイベントを送信し移動可能なセンサノードを備えた下位装置と、
前記センサノードからのイベントを受信して当該イベントを上位計算機に送信する中間装置と、を備えたセンサネットワークシステムにおいて、
前記上位計算機は、
前記中間装置が下位装置から受信したイベントのうち、予め設定した条件を満たす観測イベントのみを前記上位計算機へ送信するための配送条件を記憶する配送条件設定部と、
前記中間装置から接続イベントを受信したときに、該接続イベントに基づいて決定した配送条件を前記配送条件設定部から抽出して、前記接続イベントを送信した中間装置に前記配送条件を送信する配送条件配信部と、
前記中間装置から前記配送条件を満たした観測イベントを受信したときには、前記観測イベントを格納する観測値格納部と、を備え、
前記中間装置は、
前記下位装置から受信したイベントが、前記上位装置に転送すべき接続イベントか該中間装置の記憶装置に記憶又は破棄すべき観測イベントの何れであるかを判定するイベント判定部と、
前記接続イベントを受信したときに前記上位計算機へ当該接続イベントを送信する接続開始部と、
前記上位計算機から、前記接続イベントに対応する配送条件を受信したときには、当該接続イベントに対応する下位装置の識別子に前記配送条件を対応付けて格納する配送条件管理部と、を有し、
更に、前記イベント判定部は、前記観測イベントを前記下位装置から受信したときには、該下位装置の識別子に対応する配送条件を満足するかを判定し、満足した場合に当該観測イベントを前記上位計算機へ送信することを特徴とするセンサネットワークシステム。
【請求項２】
前記配送条件設定部は前記配送条件を前記下位装置の識別子毎に設定しており、
前記配送条件配信部は、前記接続イベントの送信元の下位装置の識別子に対応する配送条件を前記配送条件設定部から抽出することを特徴とする請求項１に記載のセンサネットワークシステム。
【請求項３】
前記上位計算機は、
前記下位装置の識別子毎に観測イベントを受信したときに所定の処理を実行するための実行条件を予め設定したアクションルール格納部と、
前記中間装置から観測イベントを受信したときには、前記観測イベントに含まれる下位装置の識別子に基づいて前記アクションルール格納部から実行条件を取得して、前記観測イベントが前記実行条件を満足した場合のみ、前記所定の処理を実行するアクション実行部と、
を有することを特徴とする請求項１に記載のセンサネットワークシステム。
【請求項４】
前記配送条件設定部は、
前記接続イベントを受信したときには、当該接続イベントの送信元の下位装置の識別子と、当該接続イベントを転送した中間装置の識別子を対応付けて記憶することを特徴とする請求項１に記載のセンサネットワークシステム。
【請求項５】
前記配送条件設定部は、
前記接続イベントを受信したときには、当該接続イベントを転送した中間装置の識別子を前記接続イベントの送信元の下位装置の位置情報として記憶することを特徴とする請求項１に記載のセンサネットワークシステム。
【請求項６】
前記中間装置は、
前記配送条件管理部に設定された下位装置から所定時間を経過してもイベントを受信できない場合には、当該下位装置の接続解除を判定する接続解除判定部を有することを特徴とする請求項１に記載のセンサネットワークシステム。
【請求項７】
センサが観測した情報に基づいてイベントを送信し移動可能なセンサノードを備えた下位装置と、
前記センサノードからのイベントを受信して当該イベントを上位計算機に送信する中間装置と、を備えたセンサネットワークシステムにおいて、
前記上位計算機は、
前記中間装置からのイベントを受信し、当該イベントを第１の上位計算機へ転送する第２の上位計算機とから構成され、
前記第１の上位計算機は、
前記中間装置が下位装置から受信したイベントのうち、予め設定した条件を満たす観測イベントのみを前記第２の上位計算機へ送信するための配送条件を記憶する配送条件設定部と、
前記第２の上位計算機から接続イベントを受信したときに、該接続イベントに基づいて決定した前記配送条件を前記配送条件設定部から抽出して、前記第２の上位計算機へ当該配送条件を送信する配送条件配信部と、
前記第２の上位計算機から前記配送条件を満たした観測イベントを受信したときには、前記観測イベントを格納する観測値格納部と、を備え、
前記第２の上位計算機は、
前記第１の上位計算機から前記配送条件を受信したときには、当該配送条件を格納する第２の配送条件設定部と、
前記中間装置から前記接続イベントを受信したときに、当該接続イベントに基づいて決定した配送条件を前記第２の配送条件設定部から抽出して、前記接続イベントを送信した中間装置に前記配送条件を送信する第２の配送条件配信部と、を備え、
前記中間装置は、
前記下位装置から受信したイベントが、前記第２の上位装置に転送すべき接続イベントか該中間装置の記憶装置に記憶又は破棄すべき観測イベントの何れであるかを判定するイベント判定部と、
前記接続イベントを受信したときには、当該接続イベントを前記第２の上位計算機へ送信する接続開始部と、
前記第２の上位計算機から、前記接続イベントに対応する配送条件を受信したときには、当該接続イベントに対応する下位装置の識別子に配送条件を対応付けて格納する配送条件管理部と、を有し、
更に、前記イベント判定部は、前記観測イベントを前記下位装置から受信したときには、該下位装置の識別子に対応する配送条件を満足するかを判定し、満足した場合に当該観測イベントを前記第２の上位計算機へ送信することを特徴とするセンサネットワークシステム。
【請求項８】
前記配送条件設定部は前記配送条件を前記下位装置の識別子毎に設定しており、
前記配送条件配信部は、前記接続イベントの送信元の下位装置の識別子に対応する配送条件を前記配送条件設定部から抽出し、
前記第２の配送条件配信部は、前記配送条件を前記下位装置の識別子毎に設定しており、
前記第２の配送条件配信部は、前記接続イベントの送信元の下位装置の識別子に対応する配送条件を前記配送条件設定部から抽出することを特徴とする請求項７に記載のセンサネットワークシステム。
【請求項９】
前記第１の上位計算機は、
前記下位装置の識別子毎に接続イベントを受信したときに所定の処理を実行するための実行条件を予め設定したアクションルール格納部と、
前記第２の上位計算機から観測イベントを受信したときには、当該観測イベントに含まれる下位装置の識別子に基づいて前記アクションルール格納部から実行条件を取得して、前記観測イベントが前記実行条件を満足した場合のみ、前記所定の処理を実行するアクション実行部と、
を有することを特徴とする請求項７に記載のセンサネットワークシステム。
【請求項１０】
センサノードを備えた下位装置でセンサが観測した情報に基づくイベントを中間装置へ送信し、前記中間装置がセンサノードから受信したイベントを上位計算機に送信するセンサネットワークのデータ管理方法であって、
前記上位計算機が、前記中間装置で下位装置から受信したイベントのうち、予め設定した条件を満たす観測イベントのみを前記上位計算機へ送信するための配送条件を記憶する手順と、
上位計算機は、前記中間装置から接続イベントを受信したときに、当該接続イベントに基づいて決定した配送条件を、前記接続イベントを送信した中間装置に送信する手順と、
前記中間装置は、前記下位装置から受信したイベントが、前記上位装置に転送すべき接続イベントか該中間装置の記憶装置に記憶又は破棄すべき観測イベントの何れであるかを判定する手順と、
前記中間装置が、前記接続イベントを受信したときには当該接続イベントを前記上位計算機へ送信する手順と、
前記中間装置が、前記上位計算機から前記接続イベントに対応する配送条件を受信したときには、前記接続イベントに対応する下位装置の識別子に配送条件を対応付けて配送条件管理部へ格納する手順と、
前記下位装置の識別子に対応する配送条件を取得して、前記観測イベントが前記配送条件を満足した場合のみ、当該観測イベントを前記上位計算機へ送信する手順と、
を含むことを特徴とするセンサネットワークシステムのデータ管理方法。
【請求項１１】
前記配送条件を記憶する手順は、前記配送条件を前記下位装置の識別子毎に設定しており、
前記接続イベントを送信した中間装置に前記配送条件を送信する手順は、前記接続イベントの送信元の下位装置の識別子に対応する配送条件を前記記憶した配送条件から抽出することを特徴とする請求項１０に記載のセンサネットワークシステムのデータ管理方法。
【請求項１２】
前記上位計算機が、前記下位装置の識別子毎に観測イベントを受信したときに所定の処理を実行するための実行条件を予め設定する手順と、
前記上位計算機が、前記中間装置から観測イベントを受信したときには、前記観測イベントに含まれる下位装置の識別子に基づいて前記実行条件を取得して、前記観測イベントが前記実行条件を満足した場合のみ、前記所定の処理を実行する手順と、
をさらに含むことを特徴とする請求項１０に記載のセンサネットワークシステムのデータ管理方法。
【請求項１３】
前記配送条件を記憶する手順は、
前記接続イベントを受信したときに、当該接続イベントの送信元の下位装置の識別子と、当該接続イベントを転送した中間装置の識別子を対応付けて記憶することを特徴とする請求項１０に記載のセンサネットワークシステムのデータ管理方法。
【請求項１４】
前記配送条件を記憶する手順は、
前記接続イベントを受信したときには、当該接続イベントを転送した中間装置の識別子を前記接続イベントの送信元の下位装置の位置情報として記憶することを特徴とする請求項１０に記載のセンサネットワークシステムのデータ管理方法。
【請求項１５】
前記中間装置が、接続した下位装置から所定時間を経過してもイベントを受信できない場合には、当該下位装置の接続解除を判定する手順をさらに含むことを特徴とする請求項１０に記載のセンサネットワークシステムのデータ管理方法。
【手続補正２】
【補正対象書類名】明細書
【補正対象項目名】０００９
【補正方法】変更
【補正の内容】
【０００９】
本発明は、センサノードを備えた下位装置でセンサが観測した情報に基づくイベントを中間装置へ送信し、前記中間装置がセンサノードから受信したイベントを上位計算機に送信するセンサネットワークのデータ管理方法であって、
前記上位計算機が、前記中間装置で下位装置から受信したイベントのうち、予め設定した条件を満たす観測イベントのみを前記上位計算機へ送信するための配送条件を記憶する手順と、上位計算機は、前記中間装置から接続イベントを受信したときに、当該接続イベントに基づいて決定した配送条件を、前記接続イベントを送信した中間装置に送信する手順と、前記中間装置は、前記下位装置から受信したイベントが、前記上位装置に転送すべき接続イベントか該中間装置の記憶装置に記憶又は破棄すべき観測イベントの何れであるかを判定する手順と、前記中間装置が、前記接続イベントを受信したときには当該接続イベントを前記上位計算機へ送信する手順と、前記中間装置が、前記上位計算機から前記接続イベントに対応する配送条件を受信したときには、前記接続イベントに対応する下位装置の識別子に配送条件を対応付けて配送条件管理部へ格納する手順と、前記下位装置の識別子に対応する配送条件を取得して、前記観測イベントが前記配送条件を満足した場合のみ、当該観測イベントを前記上位計算機へ送信する手順と、を含む。
【手続補正３】
【補正対象書類名】明細書
【補正対象項目名】００１０
【補正方法】変更
【補正の内容】
【００１０】
また、前記配送条件を記憶する手順は、前記配送条件を前記下位装置の識別子毎に設定しており、前記接続イベントを送信した中間装置に前記配送条件を送信する手順は、前記接続イベントの送信元の下位装置の識別子に対応する配送条件を前記記憶した配送条件から抽出する。
【手続補正４】
【補正対象書類名】明細書
【補正対象項目名】００１１
【補正方法】変更
【補正の内容】
【００１１】
さらに、前記上位計算機が、前記下位装置の識別子毎に観測イベントを受信したときに所定の処理を実行するための実行条件を予め設定し、前記上位計算機が、前記中間装置から観測イベントを受信したときには、前記観測イベントに含まれる下位装置の識別子に基づいて前記実行条件を取得して、前記観測イベントが前記実行条件を満足した場合のみ、前記所定の処理を実行する。